(57)【特許請求の範囲】
【請求項１】
歩行可能な設置面（Ｆ）に凹設したピット溝（Ｐ）の開口（１）を開閉し得るピット蓋であって、
押出し成形又は引抜き成形により横断面矩形状の中空閉断面構造に形成された少なくとも２つの蓋本体（Ｔｍ）が左右に並列配置されると共に、その相隣なる蓋本体（Ｔｍ）の隣接端部間が着脱可能に結合されるものにおいて、
各蓋本体（Ｔｍ）の上面の少なくとも左右両端部には、前記押出し成形又は引抜き成形の成形方向に延び且つ相互に近接して並ぶ複数の小突条（ｔ）の組より各々構成される突条群（Ａ，Ｂ，Ｃ）が、相互に離間して且つ各蓋本体（Ｔｍ）の前記押出し成形又は引抜き成形と同時に形成され、各々の小突条（ｔ）は、その小突条（ｔ）の左右両側面に前記成形方向に延びる係合溝（ｔｇ）をそれぞれ有しており、相隣なる一対の蓋本体（Ｔｍ）の隣接端部に位置する２組の突条群（Ａ，Ｃ）は、少なくとも縦横二方向で滑り止め作用を発揮し得る共通の滑り止め板（Ｓ′）で覆われ、この共通の滑り止め板（Ｓ′）は、その滑り止め板（Ｓ′）直下の複数の小突条（ｔ）の相対向する前記係合溝（ｔｇ）間にそれぞれ嵌着される複数の係合突起（８）を、前記２組の突条群（Ａ，Ｃ）に対応して一体に有していることを特徴とする、ピット蓋。
【請求項２】
前記滑り止め板（Ｓ′）は、その全体をゴム材又は合成樹脂材で一体成形されて構成されることを特徴とする、請求項１に記載のピット蓋。
【請求項３】
前記滑り止め板（Ｓ′）は、その全体を塑性加工された金属板で構成されることを特徴とする、請求項１または２に記載のピット蓋。
【発明の詳細な説明】
【技術分野】
【０００１】
本発明は、歩行可能な設置面（例えば屋内の床面や屋外の地面等）に凹設されたピット溝の開口を開閉し得るピット蓋に関する。
【背景技術】
【０００２】
配線ケーブル収納、給排水、その他の用途に利用されるピット溝には、それらの開放上面（即ち設置面の開口）を塞いで設置面と上面が略面一となるピット蓋が付設される。
【０００３】
斯かるピット蓋の蓋本体は、歩行者等の重量を受けても耐えられるように特に曲げ剛性を十分に確保する必要があり、そこで、例えば蓋板を全体的に厚くしたり、蓋裏面に補強材を固着したりするのが通例であるが、それらの技術手段では、全体として蓋重量が嵩み、また蓋自体が必要以上に厚くなる等の問題があった。
【０００４】
そこでこの問題を解決するために、近年ではピット蓋の蓋本体を押し出し成形や引き抜き成形により中空閉断面構造としたものが提案され、更にその蓋本体の上面に、該蓋本体の押出し成形又は引抜き成形の成形方向に延び且つ相互に近接して並ぶ複数の小突条の組より各々構成された複数組の突条群を、相互に離間して且つ前記押出し成形又は引抜き成形と同時に形成し、それら突条群を滑り止めに用いたものが提案されている。（下記特許文献１を参照）。
【０００５】
しかしながら上記提案のものでは、滑り止めのための各突条群が蓋本体の押出し成形又は引抜き成形の成形方向に直線状に延びているため、その滑り止めに方向性があり、多方向に十分な滑り止め機能を発揮し得ない問題がある。
【０００６】
また、このような問題を解決するために、例えば多方向の滑り止め作用を発揮し得る凹凸を上面に付した滑り止め板を蓋本体の平坦な上面に固着するものが提案されている（下記特許文献２を参照）。
【特許文献１】特開平７−３１０３６０号公報
【特許文献２】特開２００３−３４２９６７号公報
【発明の開示】
【発明が解決しようとする課題】
【０００７】
上記特許文献２のものでは、滑り止め板を蓋本体上面に固着するためにボルト、リベット等の固着手段を特別に用いる必要があり、それだけコストが嵩むと共に、その固着作業が煩雑になる問題がある。
【０００８】
本発明は、斯かる事情に鑑みてなされたものであり、従来のものの上記問題を一挙に解決できるようにしたピット蓋を提供することを目的とする。
【課題を解決するための手段】
【０００９】
上記目的を達成するために請求項１の発明は、歩行可能な設置面に凹設したピット溝の開口を開閉し得るピット蓋であって、押出し成形又は引抜き成形により横断面矩形状の中空閉断面構造に形成された少なくとも２つの蓋本体が左右に並列配置されると共に、その相隣なる蓋本体の隣接端部間が着脱可能に結合されるものにおいて、各蓋本体の上面の少なくとも左右両端部には、前記押出し成形又は引抜き成形の成形方向に延び且つ相互に近接して並ぶ複数の小突条の組より各々構成される突条群が、相互に離間して且つ各蓋本体の前記押出し成形又は引抜き成形と同時に形成され、各々の小突条は、その小突条の左右両側面に前記成形方向に延びる係合溝をそれぞれ有しており、相隣なる一対の蓋本体の隣接端部に位置する２組の突条群は、少なくとも縦横二方向で滑り止め作用を発揮し得る共通の滑り止め板で覆われ、この共通の滑り止め板は、その滑り止め板直下の複数の小突条の相対向する前記係合溝間にそれぞれ嵌着される複数の係合突起を、前記２組の突条群に対応して一体に有していることを特徴とする。
【００１０】
さらにまた請求項２の発明は、請求項１の特徴に加えて、前記滑り止め板が、その全体をゴム材又は合成樹脂材で一体成形されて構成されることを特徴とする。
【００１１】
さらにまた請求項３の発明は、請求項１または２の特徴に加えて、前記滑り止め板が、その全体を塑性加工された金属板で構成されることを特徴とする。
【発明の効果】
【００１２】
以上のように請求項１の発明によれば、押出し成形又は引抜き成形品であって左右に並列状態で結合される少なくとも２つの蓋本体の各々の上面の左右両端部に突条群が形成され、その両突条群を構成する各小突条が、その小突条の左右両側面に蓋本体の成形方向に延びる係合溝をそれぞれ有しており、各々の蓋本体の上面の少なくとも左右両端部に突条群がそれぞれ形成され、相隣なる一対の蓋本体の隣接端部に位置する２組の突条群は、少なくとも縦横二方向で滑り止め作用を発揮し得る共通の滑り止め板で覆われ、この共通の滑り止め板は、その滑り止め板直下の複数の小突条の相対向する係合溝間にそれぞれ嵌着される複数の係合突起を、前記２組の突条群に対応して一体に有しているので、多方向に滑り止め機能を発揮し得る滑り止め板を蓋本体上面に、突条群の小突条を利用した簡単な構造で的確に固定可能となり、コスト節減と組付け作業性の向上に寄与することができる。しかもその滑り止め板は相隣なる２つの蓋本体間に跨がって、その両蓋本体間の境界部を体裁よく覆うことができる上、その両蓋本体間の結合手段に兼用可能であって一層の構造簡素化やコスト節減に寄与することができる。
【００１３】
また特に請求項２の発明によれば、前記滑り止め板が、その全体をゴム材又は合成樹脂材で一体成形されて構成されるので、滑り止め板が複雑な形状構造となっても、これを容易に且つ低コストで製造することができる。
【００１４】
また特に請求項３の発明によれば、前記滑り止め板が、その全体を塑性加工された金属板で構成されるので、剛性強度が高く、耐久性に優れた滑り止め板により、長期に亘り良好な滑り止め機能を発揮させることができる。
【発明を実施するための最良の形態】
【００１５】
本発明の実施の形態を、添付図面に例示した参考例および本発明の実施例に基づいて以下に具体的に説明する。
【００１６】
添付図面において、図１〜図５は第１参考例を示すものであって、図１はピット蓋を設けたピット溝の要部斜視図、図２はピット蓋の拡大斜視図、図３は図２の３−３線拡大断面図、図４は図３の４矢視部拡大断面図、図５は図３の５矢視部拡大断面図である。また図６は第２参考例に係るピット蓋の拡大斜視図（図２対応図）であり、さらに図７，図８は本発明の実施例を示すものであって、図７はピット蓋の拡大斜視図（図２対応図）、図８は図７の８−８線拡大断面図である。
【００１７】
先ず、図１〜図５において、設置面Ｆには、所定方向に延びるピット溝Ｐが凹設されており、そのピット溝Ｐの開口１の対をなす開口縁部には、横断面Ｌ字状の縁枠材で縁取りされた蓋載せ用段部２が、設置面Ｆより凹ませて設けられる。この蓋載せ用段部２には、ピットＰの開口１を閉じるように縦列する複数のピット蓋Ｔの両側縁部がそれぞれ載置支持されており、その支持状態で各蓋Ｔの上面は設置面Ｆと略面一をなしていて、該設置面Ｆと共に歩行面を構成する。
【００１８】
各ピット蓋Ｔの蓋本体Ｔｍは、アルミ材の押出し成形又は引抜き成形により横断面矩形状の中空閉断面構造に形成され、その中空部にはそこを複数の閉断面に区画する複数の隔壁３が一体に形成される。
【００１９】
各ピット蓋Ｔは、複数（図示例では２つ）の蓋本体Ｔｍより構成され、それら蓋本体Ｔｍは左右に並列配置されると共に、その相隣なる両蓋本体Ｔｍの隣接端部間が後述する結合手段Ｊにより着脱可能に結合される。
【００２０】
各蓋本体Ｔｍの上面には、前記押出し成形又は引抜き成形の成形方向に延び且つ相互に近接して並ぶ複数の小突条ｔの組より各々構成された複数組の突条群Ａ，Ｂ，Ｃが、相互に離間して且つ前記押出し成形又は引抜き成形と同時に形成され、それら突条群Ａ，Ｂ，Ｃの位置は、蓋本体Ｔｍの左右両端壁４，４′と、少なくとも一部の前記隔壁３とに対応した位置となっている。即ち、各蓋本体Ｔｍの上面の左右両端部と中間部（図示例では中央部）に突条群Ａ，Ｂ，Ｃがそれぞれ配設されており、中央の突条群Ｂの横幅（従って小突条ｔの個数）は、左右両端の突条群Ａ，Ｃの横幅（従って小突条ｔの個数）の２倍となっている。
【００２１】
各々の小突条ｔの左右両側面には、前記成形方向に延びる円弧状の係合溝ｔｇがそれぞれ形成されており、各組の突条群Ａ，Ｂ，Ｃの一側又は両側に位置する小突条ｔの前記係合溝ｔｇと、これに対向する他の組の突条群Ａ，Ｂ，Ｃの小突条ｔの前記係合溝ｔｇとの間には、多方向で滑り止め作用を発揮し得る凹凸を上面に付した矩形の滑り止め板Ｓが嵌着（即ちその滑り止め板Ｓの左右両側縁が対応する一対の係合溝ｔｇに嵌合、固定）される。本参考例では、その滑り止め板Ｓとしてステンレス製の縞板が用いられており、また滑り止め板Ｓの左右両側縁の、対応する係合溝ｔｇへの嵌合固定は、例えばその嵌合面間に嵌合代の適宜設定に基づいて生じさせる摩擦を利用したり、或いはその嵌合面間に接着剤を塗布することで行われる。
【００２２】
また本参考例では、各組の突条群Ａ，Ｂ，Ｃ（従ってその各突条群を構成する複数の小突条ｔ）が全て外部に露出していて、該小突条ｔと直交する方向の滑り止め作用を発揮し得るようになっている。
【００２３】
相隣なる蓋本体Ｔｍ間の結合手段Ｊは、一方の蓋本体Ｔｍの左右一端壁４に一体に形成された結合凹部４ａと、その結合凹部４ａに抜差可能に嵌合し得るよう他方の蓋本体Ｔｍの左右他端壁４′に一体に形成された結合凸部４ａ′と、その結合凹，凸部４ａ，４ａ′の嵌合面間に形成された係合孔５に挿着される棒状の係合具６とで構成される。その結合作業は、一方の蓋本体Ｔｍの結合凹部４ａに他方の蓋本体Ｔｍの結合凸部４ａ′を嵌合させ、その嵌合面間の係合孔５に係合具６を押し込むことで完了し、またその結合解除作業は、上記と逆の手順で行う。
【００２４】
ピット蓋Ｔの左右両端に露出する結合凹部４ａ及び結合凸部４ａ′は、各々専用のカバー片７，７′で覆われる。そして、結合凹部４ａ及びカバー片７間と、結合凸部４ａ′及びカバー片７′間とは、前記結合手段Ｊと同様の構造の結合手段Ｊｅ，Ｊｅ′で着脱可能に結合される。
【００２５】
次に前記第１参考例の作用を説明する。この使用例は、図１からも明らかな如く、各蓋本体Ｔｍはその押出し又は引抜き方向をピット溝Ｐを横切る方向として配置される。
【００２６】
このような使用例において、複数の蓋本体Ｔｍよりピット蓋Ｔを組立てるには、所望個数（図示例では２つ）の蓋本体Ｔｍの上面に滑り止め板Ｓを予め装着しておき、それら蓋本体Ｔｍを、その左右両端相互を突き合わせるようにして左右に並べ、その左右対向端面間を前記結合手段Ｊを以て相互に一体的に結合する。またピット蓋Ｔの左右両端にはカバー片７，７′を結合手段Ｊｅ，Ｊｅ′を以て一体的に結合する。かくして、ピット蓋Ｔの組立が完了する。
【００２７】
而して本参考例によれば、押出し成形又は引抜き成形品である蓋本体Ｔｍの上面に形成される突条群Ａ，Ｂ，Ｃにおける各小突条ｔが、その小突条ｔの左右両側面に蓋本体Ｔｍの成形方向に延びる係合溝ｔｇをそれぞれ有しており、少なくとも１つの組の突条群Ａ，Ｂ，Ｃの一側又は両側に位置する小突条ｔの係合溝ｔｇと、これに対向する他の組の突条群Ａ，Ｂ，Ｃの小突条ｔの係合溝ｔｇとの間に、多方向の滑り止め作用を発揮し得る凹凸９を上面に付した幅広の滑り止め板Ｓが、該蓋本体Ｔｍの成形方向一端側より嵌着される。従って、その各突条群Ａ，Ｂ，Ｃが前記成形方向と直交する方向に十分な滑り止め機能を発揮し得るだけでなく、多方向に滑り止め機能を発揮し得る幅広の滑り止め板Ｓを、相隣なる突条群Ａ，Ｂ，Ｃの相互間において蓋本体Ｔｍ上面に、一部の小突条ｔ（係合溝ｔｇ）を利用した簡単な構造で的確に固定することができ、これにより、全体として良好な滑り止め機能を確保しながら、コスト節減と組付け作業性の向上が図られる。しかも小突条ｔに特設される左右一対の係合溝ｔｇは、蓋本体Ｔｍの押出し成形又は引き抜き成形と同時に精度よく簡単に形成することができる。
【００２８】
また本参考例では、前記滑り止め板Ｓが金属板、特にステンレス製の縞板より構成されるので、剛性強度が高く、耐久性に優れた滑り止め板Ｓにより、長期に亘り良好な滑り止め機能を発揮させることができる。
【００２９】
また図６には、第２参考例が示される。この参考例では、滑り止め板Ｓが、その全体をゴム材又は合成樹脂材で一体成形されて構成される点を除いて、第１参考例と同様であり、各構成要素には、第１参考例と同様の参照符号を付している。
【００３０】
而して本参考例では、滑り止め板Ｓの上面が複雑な凹凸形態となっても、これを容易に且つ低コストで製造することができる。また特にゴム材より滑り止め板Ｓを形成した場合には、その上面の凹凸９と相俟って滑り止め効果が大である。
【００３１】
また図７，図８には、本発明の一実施例が示される。この実施例では、各蓋本体Ｔｍの上面に形成された複数組の突条群Ａ，Ｂ，Ｃの少なくとも一部（図示例では全部）が、多方向に滑り止め作用を発揮し得る凹凸９を上面に付した比較的幅狭の帯板状滑り止め板Ｓ′で覆われ、この滑り止め板Ｓ′の下面には、その滑り止め板Ｓ′直下の複数の小突条ｔの相対向する前記係合溝ｔｇ間にそれぞれ嵌着される複数条の係合突起８が相互に並列して一体に形成されている。この滑り止め板Ｓ′は、第２参考例と同様、ゴム材又は合成樹脂材で一体成形される。
【００３２】
また相隣なる一対の蓋本体Ｔｍの隣接端部に位置する２組の突条群Ａ，Ｃは、両蓋本体Ｔｍの結合状態で互いに隣接して中央の突条群Ｂと同幅の合同突条群を形成しており、この合同突条群Ａ，Ｃは、それらに跨がる共通の前記帯板状滑り止め板Ｓ′で覆われる。この共通の滑り止め板Ｓ′の下面には、前記合同突条群Ａ，Ｃに対応して複数条の係合突起８が相互に並列して一体に形成され、それら係合突起８が、合同突条群Ａ，Ｃの複数の小突条ｔの相対向する前記係合溝ｔｇ間にそれぞれ嵌着される。上記の構成以外は、基本的に第１参考例と同様であり、各構成要素には、第１参考例の対応する構成要素と同じ参照符号を付してある。
【００３３】
而してこの実施例によれば、蓋本体Ｔｍの上面に相互に間隔をおいて並ぶ突条群Ａ，Ｂ，Ｃが、多方向に滑り止め作用を発揮し得る帯板状の滑り止め板Ｓ′でそれぞれ覆われ、この滑り止め板Ｓ′は、その直下の複数の小突条ｔの相対向する係合溝ｔｇ間にそれぞれ嵌着される複数条の係合突起８を下面に一体に有しているので、多方向に滑り止め機能を発揮し得る滑り止め板Ｓ′を蓋本体Ｔｍ上面に、突条群Ａ，Ｂ，Ｃの小突条ｔを利用した簡単な構造で的確に固定可能となり、コスト節減と組付け作業性の向上に寄与することができる。
【００３４】
しかも本実施例では、相隣なる一対の蓋本体Ｔｍの隣接端部に位置する２組の突条群Ａ，Ｃが、両蓋本体Ｔｍの結合状態で互いに隣接して中央の突条群Ｂと同幅の合同突条群を形成しており、この合同突条群Ａ，Ｃが、それらに跨がる共通の前記帯板状滑り止め板Ｓ′で覆われる構造であることから、その共通の滑り止め板Ｓ′により相隣なる両蓋本体Ｔｍ，Ｔｍ間の境界部を体裁よく覆うことができ、またその共通の滑り止め板Ｓ′自体が両蓋本体Ｔｍ間の結合手段に兼用されるため、一層の構造簡素化やコスト節減が図られる上、両蓋本体Ｔｍ間の結合強度を、本来の結合手段Ｊによる結合効果とも相俟って一層高めることができる。
【００３５】
以上、参考例および本発明の実施例について説明したが、本発明はこれら参考例および実施例に限定されることなく、本発明の範囲内で種々の実施例が可能である。例えば前記実施例では、蓋本体Ｔｍをアルミ材で押出し成形又は引抜き成形したものを示したが、その蓋本体Ｔｍをアルミ材以外の、押出し又は引抜き成形可能な金属材や、ＦＲＰ等の合成樹脂系の材料で押出し成形又は引抜き成形するようにしてもよい。
【００３６】
また第１，第２参考例では、相互に離間した突条群Ａ，Ｂ，Ｃ間に比較的幅広の滑り止め板Ｓを嵌着すると共に各突条群Ａ，Ｂ，Ｃを露出させたものを示し、また本発明の実施例では、そのような幅広の滑り止め板Ｓを省略すると共に各突条群Ａ，Ｂ，Ｃを帯板状の滑り止め板Ｓ′で覆うようにしたものを示したが、本発明では、第１又は第２参考例の滑り止め板Ｓと、前記実施例の滑り止め板Ｓ′とを適宜組み合わせて同時に使用するようにしてもよい。
【００３７】
また前記実施例では、係合溝ｔｇを横断面円弧状に形成したものを示したが、本発明では、係合溝の横断面形状として、少なくとも滑り止め板Ｓ′に対する抜け止め作用を発揮できる形状であればよく、例えば、横断面コ字状、あるいはＶ字状に形成してもよい。
【図面の簡単な説明】
【００３８】
【図１】第１参考例に係るピット蓋を設けたピット溝の要部斜視図
【図２】ピット蓋の拡大斜視図
【図３】図２の３−３線拡大断面図
【図４】図３の４矢視部拡大断面図
【図５】図３の５矢視部拡大断面図
【図６】ピット蓋の第２参考例を示す拡大斜視図（図２対応図）
【図７】本発明のピット蓋の一実施例を示す拡大斜視図（図２対応図）
【図８】図７の８−８線拡大断面図
【符号の説明】
【００３９】
Ａ，Ｂ，Ｃ・・突条群
Ｆ・・・・設置面
Ｐ・・・・ピット溝
Ｔ・・・・ピット蓋
Ｔｍ・・・蓋本体
ｔ・・・・小突条
ｔｇ・・・係合溝
Ｓ′・・・滑り止め板
１・・・・開口
８・・・・係合突起
９・・・・凹凸
【図１】
0004785602.tif 000002
【図２】
0004785602.tif 000003
【図３】
0004785602.tif 000004
【図４】
0004785602.tif 000005
【図５】
0004785602.tif 000006
【図６】
0004785602.tif 000007
【図７】
0004785602.tif 000008
【図８】
0004785602.tif 000009